(57)【要約】【課題】電源装置の共通化を図れるようにする。【解決手段】ＡＣ入力側からフィルタ部１、ダイオード２、コンデンサ３、スイッチング部４、トランス５、ダイオード６、さらにはフィードバック制御部７を１次側モジュール８、トランス５以降となる平価部９からＤＣ出力側までを２次側モジュール１１とし、１次側モジュール８を脱着可能にする。【選択図】図１
2004173458.tif 000002
【特許請求の範囲】
【請求項１】
電子機器に組込み、ＡＣ電源を入力して電気機器内部にＤＣ電力を供給する電源装置において、前記ＡＣ電源の入力側からＤＣ電力を出力するトランスまでをモジュール化し、脱着可能とすることを特徴とする電源装置。
【請求項２】
電子機器に組込み、ＡＣ電源を入力して電気機器内部にＤＣ電力を供給する電源装置において、前記ＡＣ電源の入力からＤＣ、ＡＣ、ＤＣと経緯してＤＣ電力を出力する部分をモジュール化して着脱可能とし、該出力されたＤＣ電力を平滑化し、複数のＤＣ電力を出力可能とする部分と区分けすることを特徴とする電源装置。
【請求項３】
前記１次側モジュールに、電気機器内部へのＤＣ電力を一定に保つためのフィードバック制御部を含めることを特徴とする請求項１または２記載の電源装置。
【請求項４】
前記１次側モジュール化は、電気仕様が類似した異機種間で交換可能とすることを特徴とする請求項１乃至３記載の電源装置。
【請求項５】
電子機器に組込み、ＡＣ電源を入力して電気機器内部にＤＣ電力を供給する電源装置において、ＡＣ電源からノイズ混入を防ぐフィルタ部と、整流・平滑してＤＣ電力を発生させるダイオードおよびコンデンサと、高い周波数のＡＣ電力を発生させるスイッチング部と、再度ＤＣ電力を発生させるトランスとダイオードとを１次側モジュールとし、入力されたＤＣ電力を平滑化する平滑部と、複数のＤＣ電力を出力可能とするＤＣ−ＤＣ変換部とを２次側モジュールとし、前記１次側モジュールを脱着可能とすることを特徴とする電源装置。
【請求項６】
前記１次側モジュールに、電気機器内部へのＤＣ電力を一定に保つためのフィードバック制御部を含めることを特徴とする請求項５記載の電源装置。
【請求項７】
前記１次側モジュール化は、電気仕様が類似した異機種間で交換可能とすることを特徴とする請求項５または６記載の電源装置。
【発明の詳細な説明】
【０００１】
【発明の属する技術分野】
本発明は、電子機器に組込み、ＡＣ電源を入力して電気機器内部にＤＣ電力を供給する電源装置に関するものである。
【０００２】
【従来の技術】
従来から、特許文献１等に示すように、電子機器に電源装置を組み込み、電源装置が商用電源からＡＣ電源を入力して電子機器内部にＤＣ電力を供給するようにしているものが多々ある。
【０００３】
このような電源装置において、従来から１次側モジュール（ＡＣ電源の入力側である電源１次回路）と２次側モジュール（ＤＣ電力の出力側である電源２次回路）との間を接続するトランスを分離し、トランスの発熱効率的に冷却する技術、あるいはトランスの１次巻線を一体に取り付けた１次側モジュールとトランスの２次巻線を一体に取り付けた２次側モジュールをトランスのコアに連結可能にすることにより、２次側モジュールの多出力に対応可能にする技術等を用いた電源回路もある。
【０００４】
【特許文献１】
特開２００１−３３７５５０号公報
【０００５】
【発明が解決しようとする課題】
ところが、従来の電子機器に組込まれる電源装置は、形状や電気仕様が類似した電子機器・電子機種間で電源装置の共通化を図ろうとしても、ＥＭＩ対策等の関係で電源装置内の構成部品が異なるため共通化できないことが多いという問題があった。また、日・米・欧において安全規格が相違し、ＥＭＩやＥＭＣの基準も相違し、各々の規格仕様を満たそうとすると電源装置内の構成部品に制限が出てくるために共通化できないという問題があった。
【０００６】
【課題を解決するための手段】
本発明は、上記問題に鑑みてなされたものであり、電子機器に組込み、ＡＣ電源を入力して電気機器内部にＤＣ電力を供給する電源装置において、前記ＡＣ電源の入力側からＤＣ電力を出力するトランスまでをモジュール化し、脱着可能とする電源装置としたものである。
【０００７】
あるいは、電子機器に組込み、ＡＣ電源を入力して電気機器内部にＤＣ電力を供給する電源装置において、前記ＡＣ電源の入力からＤＣ、ＡＣ、ＤＣと経緯してＤＣ電力を出力する部分をモジュール化して着脱可能とし、該出力されたＤＣ電力を平滑化し、複数のＤＣ電力を出力可能とする部分と区分けする電源装置としたものである。
【０００８】
あるいは、電子機器に組込み、ＡＣ電源を入力して電気機器内部にＤＣ電力を供給する電源装置において、ＡＣ電源からノイズ混入を防ぐフィルタ部と、整流・平滑してＤＣ電力を発生させるダイオードおよびコンデンサと、高い周波数のＡＣ電力を発生させるスイッチング部と、再度ＤＣ電力を発生させるトランスとダイオードとを１次側モジュールとし、入力されたＤＣ電力を平滑化する平滑部と、複数のＤＣ電力を出力可能とするＤＣ−ＤＣ変換部とを２次側モジュールとし、前記１次側モジュールを脱着可能とする電源装置としたものである。
【０００９】
【発明の実施の形態】
以下、本発明の実施例について図面を用いて説明する。
図１は、本発明の電源装置を示すブロック図である。電源装置は、商用電源からＡＣ電源が入力されるとフィルタ部１を通り、ダイオード２で整流し、コンデンサ３で平滑することで一度直流に変換した後、スイッチング部４で断続することにより商用電源より高い周波数の交流を作る。
【００１０】
そして、トランス５を通りダイオード６で再度直流にし、平滑部９で平滑されてＤＣ出力Ａを得る。一方、ＤＣ出力Ａが適正な電圧出力となるようにフィードバック制御部７を通じてスイッチング部４を制御している。また、ＤＣ出力Ａと電圧仕様が異なるＤＣ出力Ｂが必要な場合は、ＤＣ−ＤＣ変換部１０により所望の電圧に変換し出力する。本実施例では、２つのＤＣ出力Ａ，Ｂを形成した場合についての説明であるが、３つのＤＣ出力仕様としたい場合はＤＣ−ＤＣ変換部１０を更にひとつ増やせばよい。
【００１１】
ここで、フィルタ部１は、チョークコイルやコンデンサ等で構成され、商用電源から電気機器内部にノイズの混入を防ぎ、且つ、電気機器から商用電源に漏れ出すノイズを防ぐためのものである。端子雑音電圧等の規格を満足するためのＥＭＩ対策は、主にフィルタ部１で行なわれる。また、スイッチング部４は、ダイオード２とコンデンサ３で整流・平滑されたＤＣ電力を断続することでトランス５を通過させるための交流を発生する。また、平滑部９は、トランス５で変圧されダイオード６で整流されたＤＣ電力を平滑するが、ＤＣ出力Ａが異常な状態、即ち過電圧や過電流になった際は、ＤＣ出力Ａを出力停止させ負荷側回路を守るための保護回路も含まれている。
【００１２】
フィードバック制御部７は、ＤＣ出力Ａに接続される負荷の変化に対応し、ＤＣ出力Ａの出力電圧を一定に保つためスイッチング部４への帰還回路を形成する。フィードバック制御部７は、トランス５の２次巻線から１次巻線に絶縁を保ちながら帰還させなければならない。
【００１３】
従来および本実施例において、仕向地（日・米・欧等）の違いによりＡＣ入力電源電圧が異なるため、フィルタ部１、ダイオード２、コンデンサ３、スイッチング部４、トランス５の電圧仕様が異なる。また、電子機器で発生するノイズがＡＣ入力線から漏れ出す端子雑音電圧のＥＭＩ対策のほとんどはこの１次側モジュール８で行なうことができるので、電気仕様が類似する異機種間でＥＭＩ対策内容が異なる場合は、１次側モジュール８の変更で対応することができる。そのため、１次側モジュール８を１００Ｖ系と２００Ｖ系の２種類用意することで仕向地と仕向先のＥＭＩ対策に対応することができる。さらに、電気仕様が類似した異機種間で２次側モジュール１１の共通化を図ることで一度寿命を迎えた製品から取出したモジュールの部品を一部交換し、再利用することが可能になる。
【００１４】
ここで、本発明は、ＡＣ入力からダイオード６までを１次側モジュール８、平滑部９とＤＣ−ＤＣ変換部１０を２次側モジュール１１とし、分割してモジュール化することを特徴とする。ここで、フィードバック制御部７は、１次側モジュール８に形成する。トランス５の１次巻線側の回路は、安全規格上２次側モジュール１１と明確に分けなければならない。そして、この両方に跨るフィードバック制御部７を１次側モジュール８に形成することでトランス５の１次巻線側回路は、全て１次側モジュール８に閉じることになる。
【００１５】
なお、本実施例の１次側モジュール８は、本発明の第１の発明の「ＡＣ電源の入力側からＤＣ電力を出力するトランスまでをモジュール化したもの」に該当し、本発明の第２の発明の「ＡＣ電源の入力からＤＣ、ＡＣ、ＤＣと経緯してＤＣ電力を出力する部分をモジュール化したもの」に該当し、本発明の第３の発明の「ＡＣ電源からノイズ混入を防ぐフィルタ部と、整流・平滑してＤＣ電力を発生させるダイオードおよびコンデンサと、高い周波数のＡＣ電力を発生させるスイッチング部と、再度ＤＣ電力を発生させるトランスとダイオードとよりなる１次側モジュール」に該当する。
【００１６】
また、本実施例の２次側モジュール１１は、本発明の第２の発明の「出力されたＤＣ電力を平滑化し、複数のＤＣ電力を出力可能とする部分」に該当し、本発明の第３の発明の「入力されたＤＣ電力を平滑化する平滑部と、複数のＤＣ電力を出力可能とするＤＣ−ＤＣ変換部とよりなる２次側モジュール」に該当する。
【００１７】
【発明の効果】
以上説明したように、本発明の電源装置によれば、ＡＣ電源の入力側からＤＣ電力を出力するトランスまでをモジュール化し、脱着可能とすることにより、電源装置の共通化を図ることができるようになる。
【図面の簡単な説明】
【図１】本発明の電源装置の構成を示すブロック図である。
【符号の説明】
１：フィルタ部
２：ダイオード
３：コンデンサ
４：スイッチング部
５：トランス
６：ダイオード
７：フィードバック制御部
８：１次側モジュール
９：平滑部
１０：ＤＣ−ＤＣ変換部
１１：２次側モジュール
【図１】
2004173458.tif 000003